【事件の表示】
　特許第２６６６７９１号「施肥装置付き乗用型田植機」の特許に対する特許異議の申立てについて、次のとおり決定する。
【結論】
訂正を認める。
　特許第２６６６７９１号の特許を維持する。
【理由】
Ｉ．手続きの経緯
　特許第２６６６７９１号発明は、特願昭６１−２４１０３３号出願（昭和６１年１０月９日出願）の一部を新たな特許出願としたものであり、平成９年６月２７日にその特許の設定登録がなされた。
　その後、ヤンマー農機株式会社より特許異議の申立てがなされ、取消理由を通知したところ、平成１１年３月５日に訂正請求がなされた。
ＩＩ．訂正の適否についての判断
１．訂正の内容
（１）特許明細書（平成８年１２月１６日付け手続補正書で補正された明細書）の特許請求の範囲に記載された「該施肥駆動軸１０２と連繋部材Ａとの連結部を、回転ケース１７に対して機体背面視で移植具１８を設けている側とは反対側に位置し、」を、「該施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、」と訂正する。
（２）同特許明細書２頁１４〜１６行（特許公報第３欄２４〜２７行）に記載された「該施肥駆動軸１０２と連繋部材Ａとの連結部を、回転ケース１７に対して機体背面視で移植具１８を設けている側とは反対側に位置し、」を、「該施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、」と訂正する。
（３）同特許明細書２頁２７行〜３頁３行（特許公報第３欄４１〜４９行）に記載された「更に、施肥駆動軸１０２と連繋部材Ａとの連結部を、回転ケース１７に対して機体背面視で移植具１８を設けている側とは反対側に位置し、機体側面視で回転ケース１７の回転領域内に位置するよう配設したので、移植具１８にて掻き上げられた泥土や泥水が、回転する回転ケース１７によって、施肥駆動軸１０２と連繋部材Ａとの連結部に直接かかり難くなり、施肥装置の作動が長期に亘り円滑に行えて良好な施肥作業が行える。」を、「更に、施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設したので、副伝動，ケース１５ｂの左右両側方の移植具１８にて掻き上げられた泥土や泥水が、副伝動ケース１５ｂの左右両側方で回転する回転ケース１７によって、施肥駆動軸１０２と連繋部材Ａとの連結部に直接かかり難くなり、施肥装置の作動が長期に亘り円滑に行えて良好な施肥作業が行える。」と訂正する。
（４）同特許明細書１１頁１０〜１５行（特許公報第１０欄１６〜２４行）に記載された「更に、施肥駆動軸１０２と連繋部材Ａとの連結部を、回転ケース１７に対して機体背面視で移植具１８を設けている側とは反対側に位置し、機体側面視で回転ケース１７の回転領域内に位置するよう配設したので、移植具１８にて掻き上げられた泥土や泥水が、回転する回転ケース１７によって、施肥駆動軸１０２と連繋部材Ａとの連結部に直接かかり難くなり、施肥装置の作動が長期に亘り円滑に行えて良好な施肥作業が行える。」を、「更に、図４、図５に記載しているように、施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設したので、施肥装置の作動が長期に亘り円滑に行えて良好な施肥作業が行える。」と訂正する。
２．訂正の目的の適否及び拡張・変更の存否
　上記（１）の訂正は、特許請求の範囲に記載された「施肥駆動軸１０２と連繋部材Ａとの連結部」の位置を限定するものであるから、特許請求の範囲の減縮を目的とするものであり、上記（２）ないし（４）の訂正は、発明の詳細な説明の記載を訂正後の特許請求の範囲の記載と整合させるためのものであるから、明りょうでない記載の釈明を目的とするものである。
　そして、上記（１）ないし（４）の訂正は、願書に添付した明細書又は図面に記載した事項の範囲内においてするものであって、かつ、実質上特許請求の範囲を拡張し、又は変更するものではない。
３．独立特許要件の判断
（訂正明細書の発明）
　訂正明細書の請求項１に係る発明（以下、「訂正明細書の発明」という。）は、訂正請求書に添付した明細書における特許請求の範囲の請求項１に記載されたとおりの、次の事項により特定されるものである。
　「後方に延設された副伝動ケース１５ｂと、該副伝動ケース１５ｂの上方で左右往復動する苗載台１６と、副伝動ケース１５ｂの後部に設けた植付装置駆動軸９８に装着されて回転する回転ケース１７に設けた２基の移植具１８が苗載台１６に載置された苗から一株分の苗を取り出して圃場に植付ける植付装置１９と、副伝動ケース１５ｂの下方に設けた整地フロート２０・２１等により構成される田植作業機１４を昇降機構２２を介して乗用型走行車体１に装着すると共に、該田植作業機１４に施肥装置３９を装着した施肥装置付き乗用型田植機において、前記植付装置駆動軸９８から回転動力を受けて回転する施肥駆動軸１０２を副伝動ケース１５ｂ後部のケース内から外に突出した状態で設け、該施肥駆動軸１０２にて前記施肥装置３９の肥料繰出装置４２を連繋部材Ａを介して駆動すると共に、該施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設したことを特徴とする施肥装置付き乗用型田植機。」
（先願明細書記載の考案）
　これに対し、取消理由で引用した実願昭６０−１８４０２０号（実開昭６２−９１９２４号）の願書に最初に添付した明細書又は図面（以下、「先願明細書」という）には、次の考案が記載されている。（括弧内に、訂正明細書の発明において相当する構成部材を記す）
　後方に延設された左右の植付フレーム５８（副伝動ケース１５ｂ）と、該植付フレーム５８上方で左右往復勤する苗載台１６と、左右の植付フレーム５８の後部内側に設けた植付爪駆動軸３８（植付装置駆動軸９８）に装着されて回転する左右のロータリーケース２１（回転ケース１７）に爪ケース軸５１を軸支し、該爪ケース軸５１に設けた爪ケース２２（移植具１８）が苗載台１６に載置された苗から一株分の苗を取り出して圃場に植付ける植付装置と、植付フレーム５８の下方に設けた田面均平用フロート３４（整地フロート２０・２１）等により構成される植付部１５（田植作業機１４）を三点リンク機構２７を介して走行車１（乗用型走行車体１）に装着すると共に、該植付部１５に施肥部６８（施肥装置３９）を装着した施肥装置付き乗用型田植機において、前記植付爪駆動軸３８から回転動力を受けて回転する駆動軸を植付フレーム５８後部のケース内から外に突出した状態で設け、該駆動軸にて前記施肥部６８の肥料繰出ロ−ル７４（肥料繰出装置４２）をクランクアーム７６及びロッド７７等の連繋部材を介して駆動すると共に、該駆動軸と連繁部材との連結部を、機体背面視でロータリーケース２１に対して爪ケース２２を設けている側とは左右方向反対側に位置させて左右の植付フレーム５８の外側に位置し、機体側面視で回転ケース１７の回転領域内に位置するよう配設した施肥装置付き乗用型田植機。
（対比・判断）
　訂正明細書の発明と先願明細書記載の考案とを対比すると、
　施肥駆動軸と連繋部材との連結部を、訂正明細書の発明では、機体背面視で回転ケース１７に対して移植具１８を設けている側とは左右方向反対側に位置させて副伝動ケース１５ｂの左右に配置した回転ケース１７の左右間に位置しているのに対し、先願明細書記載の考案では、機体背面視でロータリーケース２１に対して爪ケース２２を設けている側とは左右方向反対側に位置させて左右の植付フレーム５８の外側に位置している点で両者は構成が相違している。
　そして、前記相違点は当業者が単に適宜できる程度の設計事項とはいえないので、訂正明細書の発明と先願明細書記載の考案とを同一とすることはできない。
　したがって、訂正明細書の発明は特許出願の際独立して特許を受けることができるものである。
４．むすび
　以上のとおりであるから、上記訂正は、特許法等の一部を改正する法律（平成６年法律第１１６号）附則第６条第１項の規定によりなお従前の例によるとされる、特許法第１２０条の４第２項、同条第３項で準用する第１２６条第２ないし４項の規定に適合するので、当該訂正を認める。
ＩＩＩ．本件特許発明
　本件請求項１に係る発明（以下、「本件発明」という）は、上記ＩＩ．３．独立特許要件の判断における（訂正明細書の発明）に記載したとおりのものである。
ＩＶ．特許異議の申立てについて
１．異議申立ての理由の概要
（１）本件発明は、本件特許出願の目前の他の実用新案登録出願であって本件特許出願後に出願公開された甲第１号証（実願昭６０−１８４０２０号（実開昭６２−９１９２４号公報）のマイクロフィルム）に係る出願の願書に最初に添付した明細書又は図面に記載された考案と同一であり、かつ本件発明の発明者が前記考案の考案者と同一でなく、また本件の出願のときにおいて、本件出願の出願人が前記実用新案登録出願の出願人と同一でもないから、その特許は特許法第２９条の２の規定に違反してされたものであり、取り消されるべきである。
（２）本件発明は、当業者が実施できる程度に明確かつ十分に記載されていないから、その特許は特許法第３６条第４項で規定する要件を満たしてい出願に対してされたものであり、取り消されるべきである。
２．当審の判断
（１）上記（１）の理由について
　上記ＩＩ．３．独立特許要件の判断に記載した理由により、本件発明が、甲第１号証に係る出願の願書の最初に添付した明細書又は図面に記載された考案と同一であるとすることはできない。
（２）上記（２）の理由について
　異議申立人は、具体的には次の点が明細書の記載が不備であると主張する。
　本件発明は、施肥駆動軸と連繋部材との連結部、移植具１８、回転ケース１７、副伝動ケース１５ｂの相対的位置関係が特定されていないから、「副伝動ケース１５ｂの左右両側方の移植具１８にて掻き上げられた泥土や泥水が、副伝動ケース１５ｂの左右両側方で回転する回転ケース１７によって、施肥駆動軸１０２と連繋部材Ａとの連結部に直接かかり難くな」るという明細書記載の効果を奏さない。
　しかしながら、本件発明では「施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設し」ており、連結部と移植具１８との間には回転ケース１７が設けられているから、この回転ケース１７によって、移植具１８によって掻き上げられた泥土や泥水が、連結部に直接かかるのを少なくしているといえる。
　したがって、本件明細書に、異議申立人の主張する記載不備があるとは認められない。
３．むすび
　以上のとおりであるから、特許異議申立ての理由及び証拠方法によって、本件発明の特許を取り消すことはできない。
　また、他に本件発明の特許を取り消すべき理由を発見しない。
　よって、結論のとおり決定する。
【異議決定日】
平成１１年８月２７日（１９９９．８．２７）
【訂正の要旨】
　特許第２６６６７９１号発明の明細書を本件訂正請求書に添付された訂正明細書のとおりに、すなわち、特許請求の範囲の減縮を目的として下記（１）のとおりに訂正し、明りょうでない記載の釈明を目的として下記（２）ないし（４）のとおりに訂正する。
（１）特許明細書（平成８年１２月１６日付け手続補正書で補正された明細書）の特許請求の範囲に記載された「該施肥駆動軸１０２と連繋部材Ａとの連結部を、回転ケース１７に対して機体背面視で移植具１８を設けている側とは反対側に位置し、」を、「該施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、」と訂正する。
（２）同特許明細書２頁１４〜１６行（特許公報第３欄２４〜２７行）に記載された「該施肥駆動軸１０２と連繋部材Ａとの連結部を、回転ケース１７に対して機体背面視で移植具１８を設けている側とは反対側に位置し、」を、「該施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、」と訂正する。
（３）同特許明細書２頁２７行〜３頁３行（特許公報第３欄４１〜４９行）に記載された「更に、施肥駆動軸１０２と連繋部材Ａとの連結部を、回転ケース１７に対して機体背面視で移植具１８を設けている側とは反対側に位置し、機体側面視で回転ケース１７の回転領域内に位置するよう配設したので、移植具１８にて掻き上げられた泥土や泥水が、回転する回転ケース１７によって、施肥駆動軸１０２と連繋部材Ａとの連結部に直接かかり難くなり、施肥装置の作動が長期に亘り円滑に行えて良好な施肥作業が行える。」を、「更に、施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設したので、副伝動ケース１５ｂの左右両側方の移植具１８にて掻き上げられた泥土や泥水が、副伝動ケース１５ｂの左右両側方で回転する回転ケース１７によって、施肥駆動軸１０２と連繋部材Ａとの連結部に直接かかり難くなり、施肥装置の作動が長期に亘り円滑に行えて良好な施肥作業が行える。」と訂正する。
（４）同特許明細書１１頁１０〜１５行（特許公報第１０欄１６〜２４行）に記載された「更に、施肥駆動軸１０２と連繋部材Ａとの連結部を、回転ケース１７に対して機体背面視で移植具１８を設けている側とは反対側に位置し、機体側面視で回転ケース１７の回転領域内に位置するよう配設したので、移植具１８にて掻き上げられた泥土や泥水が、回転する回転ケース１７によって、施肥駆動軸１０２と連繋部材Ａとの連結部に直接かかり難くなり、施肥装置の作動が長期に亘り円滑に行えて良好な施肥作業が行える。」を、「更に、図４、図５に記載しているように、施肥駆動軸１０２と連繋部材Ａとの連結部を、機体背面視で回転ケース１７に対して移植具１８を設けている側とは左右方向反対側に位置させて副伝動ケース１５ｂの左右に配置した回転ケース１７の左右間に位置し、機体側面視で回転ケース１７の回転領域内に位置するよう配設したので、施肥装置の作動が長期に亘り円滑に行えて良好な施肥作業が行える。」と訂正する。
（５４）【発明の名称】
施肥装置付き乗用型田植機
（５７）【特許請求の範囲】
【請求項１】　後方に延設された副伝動ケース１５ｂと、該副伝動ケース１５ｂの上方で左右往復動ずる苗載台１６と、副伝動ケース１５ｂの後部に設けた植付装置駆動軸９８に装着されて回転する回転ケース１７に設けた２基の移植具１８が苗載台１６に載置された苗から一株分の苗を取り出して圃場に植付ける植付装置１９と、副伝動ケース１５ｂの下方に設けた整地フロート２０・２１等により構成される田植作業機１４を昇降機構２２を介して乗用型走行車体１に装着すると共に、該田植作業機１４に施肥装置３９を装着した施肥装置付き乗用型田植機において、前記植付装置駆動軸９８から回転動力を受けて回転する施肥駆動軸１０２を副伝動ケース１５ｂ後部のケース内から外に突出した状態で設け、該施肥駆動軸１０２にて前記施肥装置３９の肥料繰出装置４２を連繋部材Ａを介して駆動すると共に、該施肥駆動軸１０２と連繋部材Ａとの連結部を、
機体背面視で回転ケース１７に対して
左右方向
させて副伝動ケース１５ｂの左右に配置した回転ケース１７の左右間
【発明の詳細な説明】
　【産業上の利用分野】
　この発明は、粒状の肥料を圃場に施す施肥装置を装着した乗用型田植機に関するものである。
　【従来技術とその課題】
　この種の従来技術としては、実開昭５９−３４５０７号公報に開示されたような施肥装置を装着した乗用型田植機がある。
　然し乍ら、従来のものは、後方に延設された植付ミッションケースに設けた出力軸の片側に植付爪を装着し、他側に施肥装置を駆動するクランク機構を設けた構成になっている。従って、出力軸とクランク機構との連結部は、回りに何ら遮蔽する部材がないので、その側方に位置する植付爪にて掻き上げられた泥十が直接かかり、また、出力軸とクランク機構との連結部の下側には整地フロートもないので、圃場から泥水等が直接跳ねてかかり、その作動が円滑に行えなくなり、長期に亘り良好な施肥作業が行えるものではなかった。
　【課題を解決するための手段】
　この発明は、従来の課題を解決するために、後方に延設された副伝動ケース１５ｂと、該副伝動ケース１５ｂの上方で左右往復動する苗載台１６と、副伝動ケース１５ｂの後部に設けた植付装置駆動軸９８に装着されて回転する回転ケース１７に設けた２基の移植具１８が苗載台１６に載置された苗から一株分の苗を取り出して圃場に植付ける植付装置１９と、副伝動ケース１５ｂの下方に設けた整地フロート２０・２１等により構成される田植作業機１４を昇降機構２２を介して乗用型走行車体１に装着すると共に、該田植作業機１４に施肥装置３９を装着した施肥装置付き乗用型田植機において、前記植付装置駆動軸９８から回転動力を受けて回転する施肥駆動軸１０２を副伝動ケース１５ｂ後部のケース内から外に突出した状態で設け、該施肥駆動軸１０２にて前記施肥装置３９の肥料繰出装置４２を連繋部材Ａを介して駆動すると共に、該施肥駆動軸１０２と連繋部材Ａとの連結部を、
機体背面視で回転ケース１７に対して
左右方向
させて副伝動ケース１５ｂの左右に配置した回転ケース１７の左右間
　【発明の作用効果】
　この発明は、植付装置駆動軸９８から回転動力を受けて回転する施肥駆動軸１０２を副伝動ケース１５ｂ後部のケース内から外に突出した状態で設け、該施肥駆動軸１０２にて前記施肥装置３９の肥料繰出装置４２を連繋部材Ａを介して駆動する構成としたので、肥料繰出装置４２を駆動する特別の駆動系を乗用型走行車体１側から配設する必要がなく、単に、副伝動ケース１５ｂの後部に設けた植付装置１９を駆動回転する植付装置駆動軸９８から回転動力を受けて回転する施肥駆動軸１０２にて駆動でき、施肥装置３９への駆動及び機体構成が非常に簡潔で然もコソパクトな構成になり、適切な駆動を行うことができる。
　更に、施肥駆動軸１０２と連繋部材Ａとの連結部を、
機体背面視で回転ケース１７に対して
左右方向
させて副伝動ケース１５ｂの左右に配置した回転ケース１７の左右間
副伝動ケース１５ｂの左右両側方で
　【実施例】
　この発明の一実施例である施肥装置付き乗用型田植機を図面に基づき詳細に説明する。
　１は乗用型走行車体で、前端側のミッションケース２と後端側に後輪伝動ケース３とをフレームパイプ４で連結した車体１ａの前部左右両側に前輸５・５を操行可能に設け、後部左右両側に前記後輪伝動ケース３の両端に取付けたサイドケース６・６を介して後輪７・７を設け、車体１ａの前後中間にエンジン８を装着し、この車体１ａの上部に左右に幅の広いステップ９を設け、この前側にステップ部を左右両側に残す状態で操縦枠１０を立設してこれの上部にハンドル１１を設け、後側部分に前記エンジン８を囲むエンジンカバー１２をステップ９かも突出ならしめ、このカバー１２の上部に操縦席１３を設けている。
　１４は田植作業機で、植付伝動ケース１５の前側上部に、前位が上位に傾斜する苗載台１６を左右に往復可能に設け、後側部に、回転ケース１７に２基の移植具１８が装着された植付装置１９を装着し、下部側に整地フロート２０・２１を装着した構成になっている。そして、この植付伝動ケース１５はその前側を苗載台１６の左右往復機構や変速伝動機構を内装する主伝動ケース１５ａに、後側を左右に所定の間隔で分岐させて前記回転ケース１７を装着伝動する副伝動ケース１５ｂに構成している。
　２２は昇降機構で、前記後輪伝動ケース３に設けた支柱２３に基部を枢着した上下リンク２４・２５の先端部を縦リンク２６で枢着状態に連結して構成し、この上リンク２４を車体側から油圧装置２７で昇降可能に構成し、前記縦リンク２６にローリング可能に支軸２８を介して前記田植作業機１４を装着している。
　２９ａ・２９ｂはブラケットで、前記ミッションケース２の前側に設けた前枠３０の左右両側及び前記車体４の前後中間部の両側に、ステップ９の外方へ喰みださないようにして突出され、これに適宜な部材を着脱可能に構成している。
　３１は予備苗載置装置で、前記ブラケット２９ａ・２９ｂに基部側を装着できる着脱枠３２に略々門型状の支柱３３をピン３３ａを介して回動自在に取付け、この支柱３３に苗載せ台３４を三段にして取付け、この支柱３３をばね３５で外方へ回動付勢するように設けると共にその外方への回動状態を数段に規制できる規制装置３６を前記着脱枠３２と支柱３３との間に設けている。図例の規制装置３６は着脱枠３２に回動可能に取付けられた鋸歯状のノッチを一体的に設けたベダル３７と支柱３３側に設けられて前記ノッチに係脱するピン３８とからなっている。
　３９は施肥装置で、前記田植作業機１４の植付伝動ケース１５の各副伝動ケース１５ｂの上面に着脱自在に装着される施肥フレーム４０に支持された肥料タンク４１と該肥料タンク４１から肥料を繰り出す肥料繰出装置４２と、この肥料繰出装置４２の下部に繰り出された肥料を受けて下部の圃場に導き所定の間隔で放出する肥料移送管４３とこの移送管４３の終端側に設けた作溝器４４とで構成される肥料排出装置４５と、送風機４７ａと、空気タンク４７ｂと、風導管４８等にて構成されたものである。
　この施肥装置３９の各部を詳細に説明すると次の通りである。
　施肥フレーム４０は、前記副伝動ケース１５ｂに固着される支柱４０ａの上部を前方へ屈曲させてその先端に横枠４０ｂを止着して各支柱４０ａを連結し、この横枠４０ｂに側面視でＬ字型、逆Ｌ字型の屈局枠４０ｃ・４０ｄを介して横方向に延びる上枠４０ｅを止着し、前記横枠４０ｂに筒状の空気タンク４７ｂと前記施肥装置の肥料繰出装置４２の肥料繰出ケース本体４２ａを取付けるブラケット４８ａ・４９を取付けた構成になっている。
　肥料繰出装置４２は、内部に繰出ロ−ル４６が収納架設されるケース本体４２ａと繰出ロ−ル４６を軸架する左枠４２ｂとクラッチケース部を構成する右枠４２ｃとに分割可能に繰出ケースを構成し、ケース本体４２ａの前側に位置する取付け部（イ）を前記ブラケット４９に螺着可能に構成し、前記左枠４２ｂには基部が螺軸（ロ）で先端側が非螺軸（ハ）に設けられた筒軸５０を一体的に設け、該螺軸（ロ）部に平歯車５１を螺合し、非螺軸（ハ）部にブッシュ５２・５２を圧入して、この部分に溝付繰出ロ−ル４６ａを回転自在に設け、この溝付繰出ロ−ル４６ａの溝に嵌合して軸方向に移動自在な繰出調節ロール４６ｂを前記平歯車５１のボス部５１ａ部に回転自在に係合して軸方向には該平歯車５１と一体的に動くように構成し、施肥従動軸５３を前記右枠４２ｃ側から挿通して前記筒軸５０に回転自在な状態に嵌合ならしめ、この施肥従動軸５３からクラッチ機構５４を介して溝付繰出ロ−ル４６ａを回転するように構成されている。
　前記平歯車５１のボス部５１ａと繰出調節ロール４６ｂとの連結は、該ボス部５１ａにブッシュ５５を圧入し、繰出調節ロール４６ｂの内周に形成した突状リング（ニ）を前記ブッシュ５５の端面に接当するようにしてボス部５１ａに嵌合し、ボス部５１ａの端面に抜止リング５６を螺着した構造にしている。
　前記クラッチ機構５４は、次の構成である。
　前記溝付繰出ロ−ル４６ａの外側面にクラッチ爪を一体的に形成し、このクラッチ爪に前記施肥従動軸５３に軸方向に移動自在に楔着されるクラッチ体５７に一体に形成したクラッチ爪をばね５８で弾発係合ならしめ、該クラッチ体５７の操作溝５７ａに係合されるクラッチピン５９ｂを前記繰出，ケース本体４２ａ外から偏心回動することでクラッチ爪とクラッチ爪との係脱を可能ならしめ、クラッチの断続ができるように構成している。尚、前記クラッチピン５９ｂは、前記ケース本体４２ａと右枠４２ｃとの合体時に、その両合体面に形成する半円状の切矢部（ホ）・（ホ）で形成される円周面で抜け止めされた状態で前記ケース本体４２ａ側に軸受け保持されたクラッチ軸５９の内端面に偏心して一体的に設けられ、このクラッチ軸５９の外端部に操作レバー５９ａが一体に形成されている。
　前記クラッチ機構５４のばね５８の一端側はクラッチ体５７に接圧され、他端は右枠４２ｃ内面に接圧されるが、この右枠４２ｃ内面に接圧する部分にブレーキがかかるようにばね５８と右枠４２ｃとの間にブレーキ板６０を介装している。このようにすると、常に施肥従動軸５３にブレーキがかかって回転し難くなり、ラチェット伝動機構で該施肥従動軸５３を回転するような場合に軸が揺動せず不測に繰出ロ−ルが揺動して肥料が垂れ流しになるようなことがなくなり的確な繰出が可能になる。
　６１は肥料取出樋で、前記ケース本体４２ａの背面側開口部（ヘ）にピン６２で回動自在に枢着され、常にケース内に挿入されている部分はケース内幅一杯の板体にできていて、ケース外に開く部分は側板と底板とでできた流し樋の形状に構成され、この肥料取出樋６１で前記開口部（ヘ）を開閉可能に構成し、閉じた状態ではケース内の板体部はケースの内面に沿う状態になって肥料の繰出し流下の邪魔にならず、開いた状態では繰り出される肥料を受けて肥料がケースの外側に排出されるように構成している。尚、該肥料取出樋６１のケース内の板体の少なくとも先端側にゴム板やブラシ等のシール体６３を取付け、取出樋６１の開放時にシール体６３が繰出ロ−ルの回転周面、特に繰出溝面に接合して肥料の流下を確実に防止している。
　６４は連れ出し防止用の堰止ブラシで、前記ケース本体４２ａの背面側開口部（ヘ）の左右内壁面に外側上部から内側下部に向かう樋６５に嵌合して抜き差し自在に設けた移動部材６６に、前後方向に移動調節設定可能に止着されている。６７は移動部材６６に固着の板体であり、繰出ロ−ルの外周面にその端面が接近して肥料を受ける機能を行なうものである。
　そして、前記堰止ブラシ６４及び板体６７が一体的に取付けられた移動部材６６を樋６５に嵌合して差し込み、前記肥料取出樋６１を閉じると、この樋６１で該移動部材６６が動かないように接圧されて固定されるように構成されている。
　ケース本体４２ａ側の外側面の各所に設けられている回動自在な係止爪６８は、前記左枠４２ｂ、右枠４２ｃ、肥料取出樋６１を取付けたとき、閉鎖したときに係止するもので、６９はその係合ピン、７０は接合時のノックピンを示す。
　尚、７１は肥料流入口、７２は肥料排出口を示す。
　前記の肥料タンク４１は、下部側が漏斗状に形成されていて、前記ケース本体４２ａの肥料流入口７１に漏斗が臨むようにして該ケース本体４２ａに固着されている。
　７４は漏斗で、前記ケース本体４２ａの肥料排出口７２の外周に嵌合させて取付けられ、この漏斗の下部側は筒状態に構成され、この筒状部に空気吹き込み筒７５が一体的に形成されている。
　４５は肥料排出装置で、前記田植作業機１４の整地フロート２０・２１に取付けられた作溝器４４の開口部に臨む移送管４３が前記漏斗７４の下端に連通ならしめた構成になっている。
　４７ａは送風機で、本体部が筒状の電動モータ８０の一側面に回転送風羽根が内装された送風ケース８１を一体的に設け、前記屈曲枠４０ｄに諦め付けバンド８２を介して電動モータの筒部外周を取り巻くようにして着脱自在に取付けている。８３は前記バンドの係止バックルを示す。
　４７ｂは空気タンクで、左右方向に長い気密のタンクに形成され、前記ブラケット４８に固着されている。そして、この空気タンク４７ｂに前記送風機４７ａから空気が吹き込まれるように、両者を送風管８５で連設している。
　４８は風導管で、前記空気タンク４７ｂと前記漏斗７４の吹き込み筒７５とを連結している。
　８７は繰出し調節装置で、各肥料繰出装置４２の繰出量を格別に調節する夫々の前記平歯車５１と、前記施肥フレーム４０の左右両側に支持されて、その一端側に設けられたレバー８８で回転可能な回転軸８９に取付けた歯車９０とを噛み合わせて、該軸８９を正逆回転ならしめることにより前記平歯車５１を前記筒軸５０の軸芯方向に移動ならしめ、繰出調節ロール４６ｂを左右に移動調節して肥料の繰出量が一挙に調節できるように構成している。尚、前記歯車９０は、軸８９の軸方向に移動できて、前記平歯車５１との噛み合いが外せるように構成してあり、これを外した状態で平歯車５１を手動回転させるとその肥料繰出装置４２のみの繰出量が調節できるように構成されている。
　具体的には、第１４図・第１５図の通り、軸８９に外周形状が六角の固定部材９１をロールピン８４で固定し、この固定部材９１に歯車９０を嵌合ならしめ、ばね９２で軸に固定のストッパ９３側に弾圧して該歯車９０をばね９２に抗して移動できるように構成している。
　尚、前記平歯車５１の外側面に繰出量を決める目安になる目盛と数字を歯形に対応して設け、この所定の目盛数字歯形を前記左枠４２ｂの横方行目盛枠部（ト）に位置させることによって微量調節設定ができ、平歯車５１の外側面を前記目盛枠部（ト）の適当な目盛数字に合せることによって多量調節設定ができるように構成している。
　前記作溝器４４は、鉄板や合成樹脂で平面視がＶ型或はＵ型状の後部が開口された形状に設けられていて、上下方向に長く、前記整地フロート２０・２１の苗植付け部を整地する部分の横側に土壌面に下端が突っ込まれる状態で該フロートに取付けられている。そして、前記植付装置１９の回転ケース１７との関係位置は、該回転ケース１７の前側に近い位置にあり、この作溝器４４のＶ字或はＵ字の空間内に上方から介入する前記移送管４３は、前記植付伝動ケース１５の副伝動ケース１５ｂと植付装置１９の先端側外側部に取付けられて首振り移植運動をする移植具１８との間に介装され、しかも、回転ケース１７の前側に位置ならしめている。換言すれば、副伝動ケース１５ｂと回転ケース１７と移植具１８と苗載台１６とで形成される空間（チ）内に移送管４３が介入される構成になっている。このようにすると、構成が非常にコンパクトになるばかりでなく、移送管４３を左右に折曲げないで配設できて肥料詰りを少なくすることができる。尚、前記肥料繰出装置４２の排出口７２とこれに連設される漏斗７４は回転ケース１７の上方部に位置して前記移送管４３が左右に曲げられないでストレートに配設され回転ケース１７や移植具１８の作動を阻害しない構成になっている。
　前記施肥従動軸５３の伝動は、該施肥従動軸５３に一方向回転機構としてのラチェット機構９４を装着し、その作動レバー９５を駆動ロッド９６を介して前記副伝動ケース１５ｂの下端側の一側部に突出して回転されるように設けたクランク９７に連設し、このクランク９７の回転によってレバー９５が上下に揺動されて施肥従動軸５３が一定の方向に伝動回転されるように構成されている。
　前記クランク９７は、前記回転ケース１７の植付装置駆動軸９８に平歯車９９を取付け、前記副伝動ケース１５ｂの後端に施肥装置３９を装着しない場合に取付けられる蓋の代わりにクランク伝動枠１００を装着すると、この伝動枠１００の内部にあらかじめ軸架した従動中間平歯車１０１が前記平歯車９９と噛み合い、これに噛合う歯車１０２ａが取付けられる施肥駆動軸１０２が回転され、この軸１０２に取付けられているクランク９７が作動される構成になっている。
　従って、施肥駆動軸１０２の回転動力は、クランク９７・駆動ロッド９６・作動レバー９５・ラチェット機構９４・施肥従動軸５３・クラッチ機構５４よりなる連繋部材Ａを介して肥料繰出装置４２に伝動される構成となっている。そして、このクランク９７は、前記副伝動ケース１５ｂから側方へ大きく突出する前記植付装置駆動軸９８を包む軸受メタル（リ）の後方位でやや高い位置に配設されている。このような位置にクランク９７が配設されると該クランク９７に泥土や泥水が掛かり難くなって極めて有効である。
　前記肥料タンク４１内に設けられた肥料切れセンサー１０３は、該タンク４１内の下部側斜面に装着されていて、肥料圧を受けてセンシングするように構成されている。そして、該肥料タンク４１はバランスの関係でできるだけ前方に位置するようにするため、タンク内面の壁面を前方側が緩くなる傾斜に構成し、この緩い傾斜面に貼付られる格好にして該センサー１０３が設けられている。このようにすると肥料が少なくなってもセンサーが肥料圧を充分に受けることができて的確に肥料切れを検出できる。尚、このセンサー１０３はブザーあるいは警告灯に連結されることは謂うまで主ない。また、このセンサー１０３の前側には、前記空気タンク４７ｂが位置する状態に延びている構成にしているから、センサー部分が充分に保護され、不測にこのセンサー部分に異物が衝突して破損されたり検出性能が変わってしまう等の事態を防止できる。１０４は肥料詰り表示器で、前記施肥フレーム４０に回動可能に設けた後板８４の背面に装着され、前記作溝器４４の内壁前面から適当間隔離して垂下した電導杆１０５と該作溝器４４壁面との間に肥料が詰ったり、作溝器内に進入する泥水に肥料が充分溶けた肥料詰りの状態になったときに両者間に難なく電気が流れるのを検出してこれを表示するものである。尚、この肥料詰り検出機構１０６によると、水田の泥土や、泥水にほとんど影響されないで正確な検出ができる。１０７は該検出機構１０６の調整装置で、検出感度を圃場に応じて調整するものである。即ち、電導抵抗を調整することによって、未だ肥料が撒かれていない時点の圃場における泥水が充分に電導性を有するとき、検出機構が働らいて誤報するのを防止するものである。
　次に、上例の作用について説明する。
　先ず、乗用型走行車体１側に予備苗を多量搭載するときは、第１図及び第２図に示した通り、予備苗載置装置３１を前側及び後側の各ブラケット２９ａ・２９ｂに装着して多量の苗を搭載する。多量の苗を搭載する必要がないときは、前側の両サイドあるいは後側の両サイドの予備苗載置装置３１を外しておくとよい。
　この状態において、田植作業機１４の苗載台１６に苗を搭載すると共に、各肥料タンク４１に粒状の肥料を収納して、乗用型走行車体１を前進しながら各伝動回転部を駆動すると、苗載台１６が左右に往復移動して、その下端側に苗が繰り出される。そして、回転ケース１７の回転と共に移植具１８が揺動してその移植爪が上下に長い閉ループ状の移植軌跡を描いて運動し、前記苗載台１６から一株分づつの苗を分割保持して整地フロート２０・２１で整地した水田の土壌面に苗が植付けられる。
　一方、回転ケース１７を駆動する植付装置駆動軸９８から歯車９９・１０１・１０２ａを介して伝動される施肥駆動軸１０２に基部が連結された連繋部材Ａ（クランク９７・駆動ロッド９６・作動レバー９５・ラチェット機構９４・施肥従動軸５３・クラッチ機構５４）で各肥料繰出装置４２の繰出ロ−ル４６が一定方向に回転伝動される。このため、クラッチ機構５４を「入」にしておくと繰出ロ−ル４６が回転されて肥料タンク４１から肥料が繰り出されて下部の漏斗７４に排出され、移送管４３内を流下して作溝器４４の開口部に排出される。このとき、送風機４７ａによる圧風が空気タンク４７ｂで溜められ、この高圧空気が風導管４８を介して漏斗７４下部の移送管４３内へ吹き込まれ強制的に移送管４３内を流下する肥料を作溝器４４内へ的確に移送するこのようにして、作溝器４４で開口される溝内に撒かれた肥料は、その後に覆土板１０８で溝が埋め戻されて土壌面下に埋没される。
　このようにして、苗植付け作業と施肥作業とが同時に行われるが、各肥料繰出装置４２の繰出量を夫々調節するには、歯車９０を移動させて歯車５１との噛み合いを外し、該歯車５１を正あるいは逆に回転して筒軸５０の螺子で該歯車５１を左右に移動させ、これにより繰出調節ロール４６ｂを移動して調節するとよい。また、各肥料繰出装置４２の繰出量を一挙に調節するには、レバー８８で植付装置駆動軸８９を正逆回転すると歯車９０で歯車５１が回転されて前記と同じように調節ができる。
　次に、作業が終わり、肥料タンク４１内の肥料を排出する場合には、肥料取出樋６１を第８図の仮想線のように開口ならしめ、堰止ブラシ６４が装備された移動部材６６を引き抜くとタンク４１内の肥料が肥料取出樋６１で受けられてそのまま後側の外部へ排出される。排出される肥料は適宜収容器で受けるとよい。
　また、この肥料繰出装置４２の繰出ロ−ル４６部分やその他の適宜な部分を掃除したり、洗浄後の水切りをするときには、送風機４７ａを外して風を吹き付けると簡単に清掃、水切りができる。
　そして、特に、植付装置駆動軸９８から回転動力を受けて回転する施肥駆動軸１０２を副伝動ケース１５ｂ後部のケース内から外に突出した状態で設け、該施肥駆動軸１０２にて前記施肥装置３９の肥料繰出装置４２を連繋部材Ａを介して駆動する構成としたので、肥料繰出装置４２を駆動する特別の駆動系を乗用型走行車体１側から配設する必要がなく、単に、副伝動，ケース１５ｂの後部に設けた植付装置１９を駆動回転する植付装置駆動軸９８から回転動力を受けて回転する施肥駆動軸１０２にて駆動でき、施肥装置３９への駆動及び機体構成が非常に簡潔で然もコンパクトな構成になり、適切な駆動を行うことができる。
　更に、
図４、図５に記載しているように、
機体背面視で回転ケース１７に対して
左右方向
させて副伝動ケース１５ｂの左右に配置した回転ケース１７の左右間
、
【図面の簡単な説明】
　【図１】　施肥装置付き乗用型田植機の全体側面図
　【図２】　施肥装置付き乗用型田植機の全体平面図
　【図３】　要部の正断面図
　【図４】　要部の一部断面右側面図
　【図５】　要部の一部断面背面図
　【図６】　要部の一部断面左側面図
　【図７】　要部の背面図
　【図８】　要部の側断面図
　【図９】　要部の背断面図
　【図１０】　要部を分解した状態の斜視図　　
　【図１１】　要部の背面図
　【図１２】　要部の一部断面右側面図
　【図１３】　要部の断面図
　【図１４】　要部の断面図　
　【図１５】　要部の側面図
　【符号の説明】
　　１　乗用型走行車体　　　１４　田植作業機
１５ｂ　副伝動ケース　　　　１６　苗載台
　１７　回転ケース　　　　　１８　移植具
　１９　植付装置　　　　　　２０　整地フロート
　２１　整地フロート　　　　２２　昇降機構
　３９　施肥装置　　　　　　４２　肥料繰出装置
　９８　植付装置駆動軸　　１０２　施肥駆動軸
　　Ａ　連繋部材